(57)【要約】【課題】  残液を低減可能なタンクローリー用の配管構造を提供する。【解決手段】  本発明の実施の形態に係る配管構造では、集中管２２の前部２２ａにおける前側端部２２ｃと、第１の管２８のドロップ部２８ｂとが、第１の回収管３４によって接続されている。また、ドロップ部２８ｂと第２の管３２の第２の部分３２ｂとが、第２の回収管３６によって接続されている。第１の回収管３４は、集中管２２の前部２２ａの傾斜角度よりも大きな傾斜角度を有しており、第２の回収管３６は第２の管３２の第１の部分３２ａの傾斜角度よりも大きな傾斜角度を有している。【選択図】  図２
2006298469.tif 000002
【特許請求の範囲】
【請求項１】
シャーシ上にタンクを有するタンクローリー用の配管構造であって、
前記タンクの下方においてタンクローリーの長手方向に延びており前記タンクの底弁に接続されている集中管であって、前記タンクの前側から後側へ順に設けられた前部及び後部を含んでおり、該前部が前記後部との接続部へ向けて下降傾斜しており、該後部が該接続部へ向けて下降傾斜している、該集中管と、
前記集中管より下側に設けられている第１の管であって、前記タンクローリーの幅方向に延びている中央部と、前記中央部の一方の端部に接続された一端から前記タンクローリーの幅方向の一方の側に開口を提供する開口端へ向けて下降傾斜しているドロップ部と、を含む該第１の管と、
前記接続部に一端が接続されており、前記第１の管に他端が接続された連結管と、
前記中央部から分岐されており前記タンクローリーの後側に向けて下降傾斜している第１の部分と、該第１の部分に接続された一端と前記タンクローリーの後方に開口を提供する開口端とを有しており該一端から該開口端に向けて前記第１の部分の下降傾斜の角度より大きい角度で下降傾斜している第２の部分と、を含む第２の管と、
前記前部の前側端部の下端と、前記第１の管のドロップ部及び前記連結管の一方とを接続する第１の回収管と、
前記第２の管の第２の部分と、前記第１の管の前記ドロップ部の下端とを接続する第２の回収管と、
を備え、
前記第１の回収管は、前記前部の下降傾斜の角度よりも大きい角度で下降傾斜しており、
前記第２の回収管は、前記第２の管の前記第１の部分の下降傾斜の角度よりも大きい角度で下降傾斜している、
配管構造。
【請求項２】
前記第１の回収管に設けられた第１の開閉弁と、
前記第２の回収管に設けられた第２の開閉弁と、
を更に備える、請求項１に記載の配管構造。
【請求項３】
前記集中管の前記後部における後側端部の下端と前記第２の管の前記第２の部分を接続しており、該後側端部の下端に接続された一端から該第２の部分に接続された他端に向けて下降傾斜している、第３の回収管と、
前記第１の回収管に設けられた第１の開閉弁と、
前記第２の回収管に設けられた第２の開閉弁と、
前記第３の回収管に設けられた第３の開閉弁と、
を更に備える請求項１記載の配管構造。
【請求項４】
前記第１の管の前記ドロップ部の開口端に設けられた第４の開閉弁と、
前記第２の管の前記第２の部分の開口端に設けられた第５の開閉弁と、
前記第４の開閉弁が開状態にあるときに第１の信号を出力する第１の信号出力部と、
前記第５の開閉弁が開状態にあるときに第２の信号を出力する第２の信号出力部と、
前記第１の信号及び前記第２の信号に基づき前記第１の開閉弁及び前記第２の開閉弁を開状態又は閉状態に制御する制御部と、
を更に備え、
前記第１の開閉弁及び前記第２の開閉弁はそれぞれ、エア制御式の開閉弁であって、
前記制御部は、前記第２の信号を受けた場合に、前記第１の開閉弁及び前記第２の開閉弁へのエアの供給を制御して該第１の開閉弁及び該第２の開閉弁を開状態にし、前記第１の信号のみを受けた場合に、前記第１の開閉弁及び前記第２の開閉弁へのエアの供給を制御して前記第１の開閉弁を開状態にし、前記第２の開閉弁を閉状態にする、
請求項２に記載の配管構造。
【請求項５】
前記連結管には、ポンプが設けられており、
前記制御部は、前記ポンプの駆動時に、前記第１の開閉弁及び前記第２の開閉弁を閉状態にする、請求項４に記載の配管構造。
【請求項６】
前記第１の管の前記ドロップ部の開口端に設けられた第４の開閉弁と、
前記第２の管の前記第２の部分の開口端に設けられた第５の開閉弁と、
前記第４の開閉弁が開状態にあるときに第１の信号を出力する第１の信号出力部と、
前記第５の開閉弁が開状態にあるときに第２の信号を出力する第２の信号出力部と、
前記第１の信号及び前記第２の信号に基づき前記第１の開閉弁、前記第２の開閉弁、及び前記第３の開閉弁の開状態又は閉状態に制御する制御部と、
を更に備え、
前記第１の開閉弁、前記第２の開閉弁、及び前記第３の開閉弁はそれぞれ、エア制御式の開閉弁であって、
前記制御部は、前記第２の信号を受けた場合に、前記第１の開閉弁、前記第２の開閉弁、及び前記第３の開閉弁へのエアの供給を制御して該第１の開閉弁、該第２の開閉弁、及び該第３の開閉弁を開状態にし、前記第１の信号のみを受けた場合に、前記第１の開閉弁、前記第２の開閉弁、及び前記第３の開閉弁へのエアの供給を制御して前記第１の開閉弁を開状態にし、前記第２の開閉弁及び前記第３の開閉弁を閉状態にする、
請求項３に記載の配管構造。
【請求項７】
前記連結管には、ポンプが設けられており、
前記制御部は、前記ポンプの駆動時に、前記第１の開閉弁、前記第２の開閉弁、及び前記第３の開閉弁を閉状態にする、請求項６に記載の配管構造。
【請求項８】
前記ドロップ部の下端に一端が接続されている第４の回収管を更に備え、
前記第１の管は、前記中央部の他方の端部に接続された一端から前記タンクローリーの幅方向の他方の側に開口を提供する開口端へ向けて下降傾斜している別のドロップ部を更に含んでおり、
前記第４の回収管の他端は、前記別のドロップ部の下端に接続されている、
請求項１〜７の何れか一項記載の配管構造。
【発明の詳細な説明】
【技術分野】
【０００１】
本発明は、タンクローリー用の配管構造に関するものである。
【背景技術】
【０００２】
タンクローリー用の配管構造として、例えば、下記特許文献１に記載された構造が知られている。この配管構造は、集中管、排出管、連結管、及びポンプを備えている。集中管は、タンクの長手方向（タンクローリーの長手方向）に伸びており、タンクの底弁に接続されている。排出管は、タンクローリーの幅方向の両側にタンク内の液体を排出するための排出口を提供している。連結管は、集中管から分岐され、ポンプのヘッドバルブを介して排出管に接続されている。この配管構造では、タンク内の液体は、集中管及び連結管を経て、排出管からタンクローリーの幅方向の両側に排出される。
【特許文献１】特開平１１−１０００９９号公報
【発明の開示】
【発明が解決しようとする課題】
【０００３】
上述した配管構造では、路面の傾斜に起因して発生する集中管の傾斜によって、当該集中管に残液が発生する場合がある。一方、タンクローリーの長手方向の後方にも液体を排出可能な配管構造が要請されている。
【０００４】
そこで、本発明は、残液を低減可能なタンクローリー用の配管構造を提供することを目的としている。
【課題を解決するための手段】
【０００５】
本発明の配管構造は、シャーシ上にタンクを有するタンクローリー用の配管構造である。この配管構造は、集中管と、第１の管と、連結管と、第２の管と、第１の回収管と、第２の回収管と、を備えている。集中管は、タンクの下方においてタンクローリーの長手方向に延びておりタンクの底弁に接続されている。集中管は、前部と後部とを含んでいる。前部及び後部は、タンクの前側から後側へ順に設けられている。前部は、後部との接続部へ向けて下降傾斜している。後部は当該接続部へ向けて下降傾斜している。第１の管は、集中管より下側に設けられている。第１の管は、中央部とドロップ部とを含んでいる。中央部は、タンクローリーの幅方向に延びている。ドロップ部は、中央部の一方の端部に接続された一端からタンクローリーの幅方向の一方の側に開口を提供する開口端に向けて下降傾斜している。連結管の一端は、集中管の接続部に接続されており、その他端は第１の管に接続されている。第２の管は、第１の部分と第２の部分とを含んでいる。第１の部分は、中央部から分岐されておりタンクローリーの後側に向けて下降傾斜している。第２の部分は、第１の部分に接続された一端と、タンクローリーの後方に開口を提供する開口端とを有している。第２の部分は、当該一端から開口端に向けて第１の部分の下降傾斜の角度より大きい角度で下降傾斜している。第１の回収管は、集中管の前部の前側端部の下端と、第１の管のドロップ部及び連結管の一方とを接続している。第２の回収管は、第２の管の第２の部分と、第１の管のドロップ部の下端とを接続している。第１の回収管は、集中管の前部の下降傾斜の角度よりも大きい角度で下降傾斜している。第２の回収管は、第２の管の第１の部分の下降傾斜の角度よりも大きい角度で下降傾斜している。
【０００６】
この配管構造によれば、第２の管からタンクローリーの後方へタンク内の液体の排出を行なうことが可能である。また、この配管構造では、前部より大きく下降傾斜している第１の回収管によって前部の前側端部の下端とドロップ部とが接続されている。したがって、高さ方向における前側端部の位置と接続部の位置が路面の傾斜によって反転しても、集中管の前部に流入した液体がドロップ部に回収される。なお、本配管構造では、第１の管にドロップ部を設けることによって、第１の回収管の下降傾斜の角度（水平面に対する角度）を大きくすることが可能になっている。また、第２の管の第１の部分の傾斜より大きく下降傾斜している第２の回収管によってドロップ部と第２の管の第２の部分とが接続されている。したがって、第２の管の第１の部分の傾斜が路面の傾斜によって反転しても、ドロップ部に回収された液体を第２の回収管を経て第２の部分の開口から排出することが可能である。なお、本配管構造では、第２の部分を第２の管に設けることによって、第２の回収管の下降傾斜の角度（水平面に対する角度）を大きくすることが可能になっている。
【０００７】
上記本発明の配管構造は、第１の回収管に設けられた第１の開閉弁と、第２の回収管に設けられた第２の開閉弁とを更に備えることができる。
【０００８】
上記本発明の配管構造は、集中管の後部における後側端部の下端と第２の管の第２の部分を接続しており、当該後側端部の下端に接続された一端から当該第２の部分に接続された他端に向けて下降傾斜している第３の回収管と、第３の回収管に設けられた第３の開閉弁と、を更に備えてもよい。この構成の配管構造においても、第１の開閉弁及び第２の開閉弁が設けられていてもよい。かかる構成によれば、集中管の後部の傾斜を反転させる傾斜を路面が有している場合に、集中管の後部の後側端部へ流入する液体を、第３の回収管によって回収することができる。
【０００９】
上記本発明の配管構造は、第１の管のドロップ部の開口端に設けられた第４の開閉弁と、第２の管の第２の部分の開口端に設けられた第５の開閉弁と、第４の開閉弁が開状態にあるときに第１の信号を出力する第１の信号出力部と、第５の開閉弁が開状態にあるときに第２の信号を出力する第２の信号出力部と、第１の信号及び第２の信号に基づき第１の開閉弁及び第２の開閉弁を開状態又は閉状態に制御する制御部とを更に備え、第１の開閉弁及び第２の開閉弁はそれぞれエア制御式の開閉弁であって、制御部は、第２の信号を受けた場合に、第１の開閉弁及び第２の開閉弁へのエアの供給を制御して第１の開閉弁及び第２の開閉弁を開状態にし、第１の信号のみを受けた場合に、第１の開閉弁及び第２の開閉弁へのエアの供給を制御して第１の開閉弁を開状態にし第２の開閉弁を閉状態にすることが好ましい。
【００１０】
この配管構造によれば、第２の管からの液体の排出時、即ち第５の開閉弁が開かれている場合には、第１の開閉弁及び第２の開閉弁が自動的に開かれる。一方、第１の管からの液体の排出時、即ち第４の開閉弁が開かれ第５の開閉弁が閉じられている場合には、第１の開閉弁のみが自動的に開かれる。したがって、かかる構造によれば、路面に傾斜がある場合における液体の回収のための開閉弁の取り扱いが容易である。
【００１１】
第３の回収管及び第３の開閉弁が更に設けられている場合に、制御部は、第２の信号を受けたときに、第１の開閉弁、第２の開閉弁、及び第３の開閉弁へのエアの供給を制御して第１の開閉弁、第２の開閉弁、及び第３の開閉弁を開状態にし、第１の信号のみを受けた場合に、第１の開閉弁、第２の開閉弁、及び第３の開閉弁へのエアの供給を制御して第１の開閉弁を開状態にし、第２の開閉弁及び第３の開閉弁を閉状態にすることができる。
【００１２】
上記本発明の配管構造においては、連結管には、ポンプが設けられており、制御部は、ポンプの駆動時に、第１の開閉弁及び第２の開閉弁を閉状態にすることが好ましい。この構造によれば、ポンプ駆動時の第１の回収管及び第２の回収管を経る液体の逆流を防止することが可能である。なお、第３の回収管及び第３の開閉弁が設けられている場合に、制御部は、ポンプの駆動時に、第１の開閉弁、第２の開閉弁、及び第３の開閉弁を閉状態にすることができる。
【００１３】
本発明の配管構造において、第１の管は、中央部の他方の端部に接続された一端からタンクローリーの幅方向の他方の側に開口を提供する開口端へ向けて下降傾斜している別のドロップ部を更に含むことができる。この配管構造では、ドロップ部の下端と別のドロップ部の下端とを接続する第４の回収管が設けられていることが好ましい。かかる配管構造によれば、路面の傾斜によって、上記の二つのドロップ部のうち一方のドロップ部の開口端の位置が他方のドロップ部の開口端の位置より高くなっても、一方のドロップ部に回収された液体を他方のドロップ部に回収することが可能である。
【発明の効果】
【００１４】
以上説明したように、本発明によれば、タンクローリーの幅方向の両側及び長手方向の後側にもタンク内の液体を排出可能な配管構造であって、残液を低減可能なタンクローリー用の配管構造が提供される。
【発明を実施するための最良の形態】
【００１５】
以下、図面を参照して本発明の好適な実施形態について詳細に説明する。なお、各図面において同一又は相当の部分に対しては同一の符号を附すこととする。
【００１６】
図１は、本発明の実施の形態にかかる配管構造が適用されたタンクローリーを側面から見て示す図である。以下、本明細書においては、図１に示す状態を基準にして、方向を示す語を用いる。すなわち、通常の使用状態において、図１に示すタンクローリー１０が路面に対して位置する方向を「上」とする。また、タンクローリー１０の長手方向（進行方向に平行な方向）における中心位置に対して、運転席が位置する方向を「前」とする。
【００１７】
図１に示すタンクローリー１０は、タンク１２を搭載したトラック（単車）である。タンク１２は、シャーシ１４上に搭載されたサブフレーム１６に支持されている。タンク１２の底面には、上記長手方向に沿って、複数の底弁１８が設けられている（図２を参照）。このタンク１２の下方には、タンク１２内の液体を排出するための配管構造２０が設けられている。
【００１８】
図２は、本発明の実施の形態に係る配管構造の斜視図である。図２に示す配管構造２０は、集中管２２を有している。集中管２２は、タンク１２の下方において、タンクローリー１０の長手方向に伸びている。集中管２２は、タンク１２の複数の底弁１８に接続されている。
【００１９】
集中管２２は、前部２２ａと後部２２ｂとを含んでいる。前部２２ａ及び後部２２ｂは、タンク１２の前側から後側へ向かう方向に順に設けられている。前部２２ａは、前側に位置する前側端部２２ｃから、当該前部２２ａと後部２２ｂとの接続部２２ｄに向けて下降傾斜している。後部２２ｂは、その後側に位置する後側端部２２ｅから接続部２２ｄに向けて下降傾斜している。なお、前部２２ａの長さは、後部２２ｂの長さより短くなっている。したがって、前部２２ａの水平面に対する傾斜角度は、後部２２ｂの傾斜角度より大きい。一般的に、タンクローリーは、その後側から前側に向けて下降傾斜している。即ち、タンクローリーは、一般に、前部２２ａの下降傾斜と反対の傾斜を有している。しかしながら、この配管構造２０では、前部２２ａの傾斜角度が大きくなっているので、タンク１２から液体を排出する場合に、接続部２２ｄから前側端部２２ｃへの液体の逆流が発生し難くなっている。
【００２０】
集中管２２の接続部２２ｄからは、連結管２４が分岐されている。連結管２４は、集中管２２と第１の管２８とを接続している。本実施の形態の連結管２４は、具体的に、第１連結部２４ａ、第２連結部２４ｂ、及び第３連結部２４ｃを含んでいる。第１連結部２４ａは、上記長手方向に交差する幅方向に延びており、その一端は集中管２２の接続部２２ｄに接続されている。第１連結部２４ａの他端からは、第２連結部２４ｂ、及び第３連結部２４ｃが分岐されている。
【００２１】
第２連結部２４ｂは、上記長手方向に延びて、第１の管２８に接続されている。この第２連結部２４ｂには、ポンプ２６が設けられている。ポンプ２６は、ヘッドバルブ２６ａとポンプ本体２６ｂとから構成されている。ヘッドバルブ２６ａは、四方向弁であり、タンク１２からの液体の排出方向、及びタンク１２への液体の吸引方向に、液体の流れを切替可能である。なお、このポンプ２６は、ＰＴＯ（Ｐｏｗｅｒ  Ｔａｋｅ−Ｏｆｆ）からの動力によって駆動される。
【００２２】
ポンプ２６の両側には、ポンプ２６への液体の流れを制御するための開閉弁３０ａ及び開閉弁３０ｂが設けられている。開閉弁３０ａ及び３０ｂには、エア制御式のバタフライ弁を用いることができる。開閉弁３０ａ及び３０ｂは、例えば、ＰＴＯに連動していてもよく、この場合には、ＰＴＯからポンプ２６への動力供給時に開状態になり、ＰＴＯからポンプ２６への動力非供給時に閉状態になる。
【００２３】
また、開閉弁３０ａ及び３０ｂは、ヘッドバルブ２６ａのハンドルホイールに連動して開閉制御がなされるように構成されていてもよい。この場合には、タンク１２への吸入用、又はタンク１２からの排出用の位置にハンドルホイールが回されると、開閉弁３０ａ及び３０ｂが、開状態になる。一方、タンク１２からの重力排出用の位置にハンドルホイールが回されると、開閉弁３０ａ及び３０ｂは、閉状態になる。更に、開閉弁３０ａ及び３０ｂの開閉は、手動のエアススイッチによって開閉状態が切替可能に構成されていてもよい。
【００２４】
第３連結部２４ｃは、開閉弁３０ｃを介して第１連結部２４ａに接続しており、上記幅方向に延びた後、上記長手方向へ屈曲されて、第１の管２８に接続されている。この第１の管２８は、集中管２２より下方に設けられている。
【００２５】
第１の管２８は、中央部２８ａ、並びに、ドロップ部２８ｂ及び２８ｃを有している。中央部２８ａは、タンク１２の下方において上記幅方向に延びている。この中央部２８ａには、第２連結部２４ｂ及び第３連結部２４ｃが接続されている。
【００２６】
中央部２８ａの一方の端部には、ドロップ部２８ｂが接続されており、その他方の端部にはドロップ部２８ｃが接続されている。ドロップ部２８ｂは、中央部２８の一方の端部に接続された一端から開口端２８ｄに向けて下降傾斜している。この開口端２８ｄは、タンクローリー１０の幅方向の一方の側に開口を提供しており、当該開口端２８ｄには開閉弁２８ｅ（第４の開閉弁）が設けられている。
【００２７】
ドロップ部２８ｃは、中央部２８の他方の端部に接続された一端から開口端２８ｆに向けて下降傾斜している。この開口端２８ｆは、タンクローリー１０の幅方向の他方の側に開口を提供しており、当該開口端２８ｆには開閉弁２８ｇ（第４の開閉弁）が設けられている。
【００２８】
第１の管２８の中央部２８ａからは、開閉弁３２ｅを介して第２の管３２が分岐されている。第２の管３２は、第１の部分３２ａと第２の部分３２ｂとを含んでいる。第１の部分３２ａは、中央部２８ａに接続された一端からタンクローリー１０の後側に向けて下降傾斜している。
【００２９】
第２の部分３２ｂは、第１の部分３２ａの他端に接続された一端から開口端３２ｃに向けて下降傾斜している。この第２の部分３２ｂの水平面に対する傾斜角度は、第１の部分３２ａの傾斜角度よりも大きい角度になっている。また、この第２の部分３２ｂの開口端３２ｃには、開閉弁３２ｄ（第５の開閉弁）が設けられている。
【００３０】
この配管構造２０は、更に、第１の回収管３４、第２の回収管３６、第３の回収管３７、及び第４の回収管３８を備えている。第１の回収管３４の一端は集中管２２の前部２２ａにおける前側端部２２ｃの下端に接続されており、その他端は第１の管２８のドロップ部２８ｂに接続されている。この第１の回収管３４には、開閉弁３４ａ（第１の開閉弁）が設けられている。
【００３１】
第１の回収管３４は、その一端から他端に向けて下降傾斜している。本配管構造２０では、第１の管２８にドロップ部２８ｂを設けることによって、前側端部２２ｃと第１の管２８との高低差が増大されている。これによって、第１の回収管３４の下降傾斜の角度を、前部２２ａの下降傾斜の角度よりも大きくすることが可能になっている。なお、第１の回収管３４の他端は、連結管２４に接続されていてもよく、特に連結管２４の第３連結部２４ｃに接続されていることが好ましい。
【００３２】
第２の回収管３６は、その一端がドロップ部２８ｂの下端に接続され、他端が第２の管３２の第２の部分３２ｂに接続されるように構成されている。また、第２の回収管３６は、開閉弁３６ａ（第２の開閉弁）を有している。
【００３３】
この第２の回収管３６も、その一端から他端に向けて下降傾斜している。本配管構造２０では、第２の管３２に第２の部分３２ｂを設けることによって、ドロップ部２８ｂと第２の部分３２ｂとの高低差が増大されている。これによって、第２の回収管３４の下降傾斜の角度を、第２の管３２の第１の部分３２ａの下降傾斜の角度よりも大きくすることが可能になっている。
【００３４】
第３の回収管３７は、その一端が集中管２２の後部２２ｂにおける後側端部２２ｅの下端に接続されており、他端が第２の管３２の第２の部分３２ｂに接続されるように構成されている。また、第３の回収管３７は、開閉弁３７ａ（第３の開閉弁）を有している。この第３の回収管３７も、その一端から他端に向けて下降傾斜している。
【００３５】
第４の回収管３８は、上記の幅方向に延びており、ドロップ部２８ｂの下端とドロップ部２８ｃの下端とを接続している。
【００３６】
本実施の形態の配管構造２０では、開閉弁３４ａ、開閉弁３６ａ、及び開閉弁３７ａそれぞれの開状態及び閉状態が、自動的に制御されるように構成されている。図３は、開閉弁の制御のための構成を示す図である。
【００３７】
本実施の形態では、開閉弁３４ａ、開閉弁３６ａ、及び開閉弁３７ａは、エア制御式のバタフライ弁である。図３に示すように、開閉弁３４ａは、電磁弁４０に接続されており、当該電磁弁４０からエアが供給されるようになっている。また、開閉弁３６ａ、及び開閉弁３７ａは、電磁弁４２に接続されており、当該電磁弁４２からエアが供給されるようになっている。
【００３８】
電磁弁４０及び電磁弁４２は、圧力調整弁４４、エアーフィルタ４６、プロテクションバルブ４７、元弁４８を介して、エアタンク５０に接続されており、エアタンク５０からエアが供給されるようになっている。このエアタンク５０は、シャーシ１４に固定されている。
【００３９】
また、電磁弁４０及び電磁弁４２は、制御部５２に電気的に接続されている。制御部５２は、信号出力部（第１の信号出力部）５４及び５６、信号出力部（第２の信号出力部）５８、並びにＰＴＯ６０に電気的に接続されている。なお、信号出力部５４、５６、及び５８には、近接センサ又はリミットスイッチを採用することができる。
【００４０】
信号出力部５４は、開閉弁２８ｅの近傍に設けられており、開閉弁２８ｅが開状態となっているときに制御部５２へ信号（第１の信号）を出力する。信号出力部５６は、開閉弁２８ｇの近傍に設けられており、開閉弁２８ｇが開状態になっているときに制御部５２へ信号（第１の信号）を出力する。信号出力部５８は、開閉弁３２ｄの近傍に設けられており、開閉弁３２ｄが開状態になっているときに制御部５２へ信号（第２の信号）を出力する。ＰＴＯ６０は、ポンプ２６への動力供給時に制御部５２へ信号を出力する。
【００４１】
制御部５２は、ＰＴＯ６０から信号が出力されている場合には、電磁弁４０及び電磁弁４２を共に閉状態に制御する。これによって、開閉弁３４ａ、開閉弁３６ａ、及び開閉弁３７ａへのエアの供給が停止され、開閉弁３４ａ、開閉弁３６ａ、及び開閉弁３７ａが閉状態になる。
【００４２】
一方、制御部５２は、ＰＴＯ６０からの信号を受けておらず、信号出力部５８からの信号を受けている場合、即ちポンプ２６が停止状態にあり開閉弁３２ｄが開かれて第２の管３２から液体が排出される場合には、電磁弁４０及び電磁弁４２を開状態に制御する。これによって、エアタンク５０からのエアが開閉弁３４ａ、開閉弁３６ａ、及び開閉弁３７ａに供給されて、開閉弁３４ａ、開閉弁３６ａ、及び開閉弁３７ａが開状態になる。
【００４３】
また、制御部５２は、ＰＴＯ６０からの信号を受けておらず、信号出力部５４及び信号出力部５６の少なくとも一方から信号を受けており、信号出力部５８からの信号を受けていない場合、即ちポンプ２６が停止状態にあり開閉弁２８ｅ及び開閉弁２８ｇの少なくとも一方が開かれて第１の管２８から液体が排出される場合には、電磁弁４０を開状態に制御し、電磁弁４２を閉状態に制御する。これによって、開閉弁３４ａにのみエアタンク５０からエアが供給され、開閉弁３４ａのみが開状態になる。
【００４４】
以下、本実施の形態の配管構造２０の作用について説明する。まず、この配管構造２０が適用されたタンクローリー１０が、傾斜の少ない路面、即ち、集中管２２の前部２２ａ及び後部２２ｂの傾斜、第２の管３２の傾斜を反転させることのない路面上にある状態について説明する。
【００４５】
かかる状態において、ポンプ２６による第１の管２８からの動力排出時には、第３連結部２４ｃに設けられた開閉弁３０ｃ、並びに第２の管３２に設けられた開閉弁３２ｄ及び開閉弁３２ｅが閉じられ、ポンプ２６の両側の開閉弁３０ａ及び開閉弁３０ｂ、並びに第１の管２８の開口端に設けられた開閉弁２８ｅ及び２８ｇが開かれる。これによって、タンク１２内の液体が、集中管２２、第１連結部２４ａ、第２連結部２４ｂ、及び第１の管２８を経て、第１の管２８の開口からタンクローリー１０の幅方向における両側に動力排出される。なお、ポンプ２６による第１の管２８からの液体吸入時においては、ヘッドバルブ２６ａが液体吸入方向に切り替えられ、開閉弁の開閉状態は、ポンプ２６による第１の管２８からの動力排出時の開閉弁の開閉状態と同様とされる。
【００４６】
ポンプ２６による第２の管３２からの動力排出時には、第３連結部２４ｃに設けられた開閉弁３０ｃ、並びに、第１の管２８の開口端に設けられた開閉弁２８ｅ及び開閉弁２８ｇが閉じられ、ポンプ２６の両側の開閉弁３０ａ及び開閉弁３０ｂ、並びに第２の管３２に設けられた開閉弁３２ｄ及び開閉弁３２ｅが開かれる。これによって、タンク１２内の液体が、集中管２２、第１連結部２４ａ、第２連結部２４ｂ、及び第２の管３２を経て、第２の管３２の開口からタンクローリー１０の後方へ動力排出される。なお、ポンプ２６による第２の管３２からの液体吸入時においては、ヘッドバルブ２６ａが液体吸入方向に切り替えられ、開閉弁の開閉状態は、ポンプ２６による第２の管３２からの動力排出時の開閉弁の開閉状態と同様とされる。
【００４７】
第１の管２８からの重力排出時には、ポンプ２６の両側の開閉弁３０ａ及び開閉弁３０ｂ、第２の管３２に設けられた開閉弁３２ｄ及び開閉弁３２ｅが閉じられ、第１の管２８の開口端に設けられた開閉弁２８ｅ及び開閉弁２８ｇ、並びに第３連結部２４ｃに設けられた開閉弁３０ｃが開かれる。これによって、タンク１２内の液体が、集中管２２、第１連結部２４ａ、第３連結部２４ｃ、及び第１の管２８を経て、第１の管２８の開口からタンクローリー１０の幅方向における両側に重力排出される。この場合に、開閉弁３０ａ及び開閉弁３０ｂによって、ポンプ２６への液体の流れが停止されているので、ポンプ２６のヘッドバルブ２６ａからの内部リークによるポンプ２６内の残液が抑制される。また、ヘッドバルブ２６ａを介することなくタンク１２内の液体が重力排出されるので、ポンプ２６近傍の管における残液が抑制される。すなわち、配管構造２０によれば、液体の抵抗となりうるヘッドバルブ２６ａを介することなく、タンク１２内の液体が重力排出される。
【００４８】
次に、本配管構造２０が適用されたタンクローリー１０が、傾斜を有する路面上にある状態、即ち、集中管２２の前部２２ａの傾斜、第２の管３２の第１の部分３２ａの傾斜を反転させる路面上にある状態での液体の回収ついて説明する。
【００４９】
かかる状態では、集中管２２の前部２２ａの前側端部２２ｃに向けて液体が流れ込む。しかしながら、第１の管２８及び第２の管３２の何れから液体を排出する場合であっても、ＰＴＯ６０からポンプ２６への動力の供給が停止されているときには、制御部５２によって開閉弁３４ａが開状態に制御される。したがって、前部２２ａの前側端部２２ｃに流れ込む液体は、第１の回収管３４を介して、第１の管２８のドロップ部２８ｂに回収される。
【００５０】
ここで、第１の管２８からの排出時には、第２の管３２の開閉弁３２ｄが閉じられ、第１の管２８の開閉弁２８ｅ及び開閉弁２８ｇの少なくとも一方が開かれるので、制御部５２によって開閉弁３４ａは開状態に制御され開閉弁３６ａは閉状態に制御される。したがって、第１の管２８のドロップ２８ｂに回収された液体は、開口端２８ｄの開口または開口端２８ｆの開口から排出される。なお、開口端２８ｄの高さ方向の位置を開口端２８ｆの高さ方向の位置よりも高くするような傾斜を、路面が有している場合においては、ドロップ部２８ｂに回収された液体を、第４の回収管３８を介して、ドロップ部２８ｃに回収し、当該液体を開口端２８ｆの開口から排出することが可能である。
【００５１】
一方、第２の管３２からの排出時には、第１の管２８の開閉弁２８ｇ及び開閉弁２８ｅが閉じられ、第２の管３２の開閉弁３２ｅ及び開閉弁３２ｄが開かれているので、開閉弁３４ａに加えて開閉弁３６ａ及び開閉弁３７ａも開状態に制御される。したがって、ドロップ部２８ｂに回収された液体は、第２の回収管３６を介して、第２の管３２の第２の部分３２ｂに回収され、開口端３２ｃの開口から排出される。
【００５２】
このように、路面に傾斜があっても、液体が回収されるようになっているので、配管構造２０は残液が発生し難いものとなっている。なお、上述したように、ＰＴＯ６０からポンプ２６へ動力が供給されているときには、制御部５２によって開閉弁３４ａ、開閉弁３６ａ、及び開閉弁３７ａが閉状態に維持されるので、第１の回収管３４及び第２の回収管３６を経る液体の逆流が発生しない。
【００５３】
一方、本配管構造２０が適用されたタンクローリー１０が、集中管２２の後部２２ｂの傾斜を反転させる路面上にある状態では、後部２２ｂの後側端部２２ｅに流入する液体が、第３の回収管３７を介して、第２の管３２の第２の部分３２ｂに回収される。なお、第２の管３２からの液体の回収時には、開閉弁３２ｄが開かれているので、制御部５２によって、第３の開閉弁３７ａは開状態に制御されている。
【００５４】
なお、本発明は、上記実施の形態に限定されることなく、種々の変形態様を構成することができる。例えば、開閉弁３４ａ及び開閉弁３６ａは、操作レバーの位置を手動で変更することによって、開状態又は閉状態を制御することが可能な手動式の開閉弁であってもよい。
【００５５】
また、連結管の構造は、上記実施の形態の連結管２４の構造に限定されない。図４は、本発明の他の実施の形態に係る配管構造の斜視図である。図４に示す配管構造２０Ｂは、配管構造２０と連結管の構造のみが異なる。
【００５６】
具体的に、配管構造２０Ｂの連結管２４Ｂは、配管構造２０の連結管２４と異なり、第３連結部２４ｃを有していないい。また、第２連結部２４ｂには、ポンプ２６のみが設けられている。
【００５７】
このように、本発明は、その原理から逸脱することなく配置および詳細において変更され得ることができることは、当業者によって認識される。本発明は、本実施の形態に開示された特定の構成に限定されるものではない。したがって、特許請求の範囲およびその精神の範囲から来る全ての修正および変更に権利を請求する。
【図面の簡単な説明】
【００５８】
【図１】図１は、本発明の実施の形態にかかる配管構造が適用されたタンクローリーを側面から見て示す図である。
【図２】図２は、本発明の実施の形態に係る配管構造の斜視図である。
【図３】図３は、開閉弁の制御のための構成を示す図である。
【図４】図４は、本発明の他の実施の形態に係る配管構造の斜視図である。
【符号の説明】
【００５９】
１０…タンクローリー、１２…タンク、１４…シャーシ、１６…サブフレーム、１８…底弁、２０…配管構造、２２…集中管、２２ａ…前部、２２ｂ…後部、２２ｃ…前側端部、２２ｄ…接続部、２４…連結管、２４ａ…第1連結部、２４ｂ…第２連結部、２４ｃ…第３連結部、２６…ポンプ、２８…第１の管、２８ａ…中央部、２８ｂ…ドロップ、２８ｃ…ドロップ部、２８ｅ，２８ｇ…開閉弁（第４の開閉弁）、３２     第２の管、３２ａ…第１の部分、３２ｂ…第２の部分、３２ｄ，３２ｅ…開閉弁（第５の開閉弁）、３４…第１の回収管、３４ａ…開閉弁（第１の開閉弁）、３６…第２の回収管、３６ａ…開閉弁（第２の開閉弁）、３７…第３の回収管、３７ａ…開閉弁（第３の開閉弁）、３８…第４の回収管、４０，４２…電磁弁、５０…エアタンク、５２…制御部、５４，５６…信号出力部（第１の信号出力部）、５８…信号出力部（第２の信号出力部）。
【図１】
2006298469.tif 000003
【図２】
2006298469.tif 000004
【図３】
2006298469.tif 000005
【図４】
2006298469.tif 000006